(57)【要約】本発明は、包装容器（５）のための逃がし弁（１０，１０ａ，４０）に関し、該逃がし弁は支持体（１１，１１ａ，５０）とダイヤフラム（２２，２２ａ，４８）とから成っている。支持体（１１，１１ａ，５０）に凹部（１５，１５ａ，４２）を設けてある。ダイヤフラム（２２，２２ａ，４８）は凹部（１５，１５ａ，４２）を覆っていて、発生したガスの、貫通孔（１９，２０，４４）からの流出を可能にしている。
2006507997.tif 000002
【特許請求の範囲】
【請求項１】
包装容器（５）のための逃がし弁（１０，１０ａ，４０）であって、２つの構成部分から成っており、カップ状の剛性の１つの支持体（１１，１１ａ，５０）を含んでおり、該支持体は高くされた環状の縁部領域（１３，１３ａ）を有しており、該縁部領域の上面は、包装容器（５）の内面（２）を形成する包装帯材（３）に結合可能であり、前記支持体の中央領域（１２）にガスのための少なくとも１つの逃がし孔（１９，２０，４４）を設けてあり、並びに１つの弁ダイヤフラム（２２，２２ａ，４８）を含んでおり、該弁ダイヤフラムは前記支持体（１１，１１ａ，５０）の前記逃がし孔（１９，２０，４４）を包装容器（５）内の所定の過圧まで閉鎖していて、該過圧が越えられた際に流出するガスのための通路を形成するようになっており、該流出するガスは、前記縁部領域（１３，１３ａ）の内側で包装容器（５）の包装帯材（３）に設けられた少なくとも１つの開口部（４，３８）を経て包装容器（５）から流出するようになっており、この場合に前記弁ダイヤフラム（２２，２２ａ，４８）は失われないように前記支持体（１１，１１ａ，５０）に結合されており、前記中央領域（１２）内で前記逃がし孔（１９，２０，４４）の領域に少なくとも１つの凹部（１５，１５ａ，４２）を設けてあることを特徴とする、包装容器のための逃がし弁。
【請求項２】
凹部（１５，１５ａ）は、互いに部分的に重ねられた少なくとも２つの円（１６，１７）のなす形状を有しており、各円（１６，１７）の中心点に逃がし孔（１９，２０）を設けてある請求項１に記載の逃がし弁。
【請求項３】
凹部（４２）は、商号若しくは保護された商標（４３）の形状を有している請求項１に記載の逃がし弁。
【請求項４】
弁ダイヤフラム（２２，２２ａ，４８）は、支持体（１１，１１ａ，５０）の縁部領域（１３，１３ａ）の内側の相対する少なくとも２つの側で支持体（１１，１１ａ，５０）に結合されており、弁ダイヤフラム（２２，２２ａ，４８）の上面と支持体（１１，１１ａ，５０）の縁部領域（１３，１３ａ）の上面との間に、所定の間隔（ａ）を設けて、これによって包装容器（５）の開口部（４，３８）へのガスの流過を可能にしてある請求項１から３のいずれか１項に記載の逃がし弁。
【請求項５】
支持体（１１，１１ａ，５０）は、回転対称的な扁平な物体として形成されており、弁ダイヤフラム（２２，２２ａ，４８）は、相対する両方の側に直線的な縁（２４，２５）を有していてストリップ状に形成されている請求項４に記載の逃がし弁。
【請求項６】
弁ダイヤフラム（２２，２２ａ，４８）は、支持体（１１，１１ａ，５０）と結合された領域（３１，３２，５１，５２）で、支持体（１１，１１ａ，５０）の縁部領域（１３，１３ａ）まで達しており、かつ弁ダイヤフラム（２２，２２ａ，４８）は、支持体（１１，１１ａ，５０）と結合されていない領域で、支持体（１１，１１ａ，５０）の縁部領域（１３，１３ａ）に対して離隔されていて、ガスのための流過路を生ぜしめるようになっている請求項５に記載の逃がし弁。
【請求項７】
支持体（１１）の上面で包装容器（５）若しくは包装帯材（３）との結合領域に、支持体（１１）と包装帯材（３）との間の相互の超音波溶接のための環状の少なくとも１つの隆起部（１４）を形成してある請求項１から６のいずれか１項に記載の逃がし弁。
【請求項８】
支持体（１１）の上面で包装容器（５）若しくは包装帯材（３）との結合領域に、接着剤層（３７）を施してある請求項１から６のいずれか１項に記載の逃がし弁。
【請求項９】
凹部（１５，１５ａ，４２）は、支持体の中央領域（１２）に対してほぼ０．２ｍｍの深さを有している請求項１から８のいずれか１項に記載の逃がし弁。
【発明の詳細な説明】
【技術分野】
【０００１】
本発明は、包装容器のための逃がし弁に関する。
【０００２】
ドイツ連邦共和国特許第３１４７３２１Ｃ２号明細書に記載の逃がし弁は、カップ状若しくはキャップ状の支持体を有しており、該支持体は側壁としての環状のフランジ領域を有しており、フランジ領域は、包装容器を形成するための帯材の内面に結合されるようになっている。ダイヤフラムは、該ダイヤフラムの縁が支持体に対して遊びを有するように支持体のベースに配置されている。ダイヤフラムは、適当な押さえ部材によって支持体のベースに向けて締め付けられようになっている。このように該公知の逃がし弁は３つの構成部分を必要としており、特に支持体内へのダイヤフラム及び押さえ部材の組み付けは煩雑である。
【０００３】
請求項１に記載の構成を有する本発明に基づく逃がし弁においては利点として、逃がし弁はもっぱら２つの構成部分から成るものであり、従って経済的に製造可能である。
【０００４】
本発明に基づく逃がし弁の有利な構成を従属請求項に記載してある。本発明の有利な実施態様では、凹部は、互いに部分的に重ねられた少なくとも２つの円のなす形状を有している。このような特殊な形状の凹部によって、逃がし弁の特に良好な応答特性が得られ、即ち、逃がし弁は例えばすでに２ミリバールの過圧で開く。
【０００５】
凹部を、商号若しくは保護された商標の形状で形成することも可能であり、これによって逃がし弁の良好な識別効果が得られる。さらに有利には、弁ダイヤフラムの上面と支持体の縁部領域の上面との間に、所定の間隙（間隔）を設けてある。これによって、包装容器同士が互いに密接している場合にも、包装容器の開口部へのガスの確実な流過を保証することができる。ダイヤフラムをストリップ状に形成することによって、ダイヤフラムの特に簡単な成形と共に包装容器の開口部へのガスの流過路の形成が達成される。
【０００６】
次に本発明を図示の実施例に基づき詳細に説明する。図面において、
図１は、本発明に基づく逃がし弁の平面図であり、
図２は、図１のＩＩ−ＩＩ線に沿った断面図であり、
図３は、図１及び図２の逃がし弁に用いられるダイヤフラムの平面図であり、
図４は、本発明に基づく別の逃がし弁の平面図であり、
図５は、接着剤によって包装容器に結合される形式の本発明に基づく逃がし弁の断面図であり、
図６は、逃がし弁を備えた包装容器の斜視図である。
【０００７】
図１及び図２には、第１の逃がし弁（放圧弁）１０を示してある。逃がし弁１０はプラスチック、特にポリエチレンから成る支持体１１を有しており、支持体は有利には射出成形によって製造されている。実施例では支持体１１は平面図で見て円形の形状を有しているものの、別の形状、例えば正方形の形状を有していてもよい。支持体１１は扁平なカップ状の物体として形成されていて、図２から明らかなように、中央領域１２に対して高くなっている環状の縁部領域１３を有している。縁部領域１３の上面は、断面で見てほぼ三角形の同じく環状の１つの隆起部１４を有している。隆起部１４のこのような形状は、逃がし弁１０若しくは支持体１１を超音波溶接（若しくは別の熱封止手段）によって包装容器に結合することを可能にするものである。これとは異なって、有利には互いに同心的に配置された複数の隆起部１４を設けることも可能である。中央領域１２に凹部１５を設けてあり、該凹部は、互いに部分的に重ねられた２つの円１６，１７によって描かれた輪郭の形状を有している。凹部１５は中央領域１２の表面１８からほぼ０．２ｍｍだけ低くなっている。有利な実施例では、支持体１１において各円１６，１７の中心点にそれぞれ貫通孔１９，２０を設けてある。貫通孔１９，２０の直径は例えば１ｍｍである。凹部１５は支持体１１に対して中心に位置決めして配置されている。
【０００８】
中央領域１２の上面１８には部分的にダイヤフラム２２を張設してある。図３に個別に示してあるダイヤフラム２２は、縁部領域１３の内側輪郭２３に適合された形状を有しており、この場合、相対する両方の側にそれぞれ直線的な縁２４，２５を設けてある。同じくプラスチック、有利にはポリエステルから成るダイヤフラム２２は、最大ほぼ０．１ｍｍの厚さを有していて、該ダイヤフラムの材料（封止可能な被覆を備えたポリエステル）に基づき支持体１１の中央領域１２の上面１８に対して封止される。
【０００９】
支持体１１の内側輪郭２３内でのダイヤフラム２２の配置は、縁２４，２５が円１６，１７の中心点を通る中心点軸線２６に対して垂直を成すように行われる。これによって、縁２４，２５と支持体１１の内側輪郭１３との間にそれぞれダイヤフラムのない区域２７，２８が生じている。
【００１０】
図１にはさらに、相対する２つの封止区域３１，３２を示してあり、該封止区域を介してストリップ状のダイヤフラム２２と支持体１１の表面１８との結合が行われる。図面から明らかなように、封止区域３１，３２は縁２４，２５の外側の領域からダイヤフラム２２のそれぞれ円弧形の輪郭３３，３４まで達している。
【００１１】
支持体１１の中央領域の上面１８とダイヤフラム２２との間に、シール液、特にシリコンオイルを設けてある。さらに図２から明らかなように、弾性的なダイヤフラム２２の上面と支持体１１の縁部領域の上面との間に所定の間隔ａを設けてある。
【００１２】
図５に示す逃がし弁１０ａは、図１及び図２の逃がし弁１０に対して次の点で異なっており、即ち、支持体１１の縁部領域１３ａの上面に環状の接着剤層３７を施してある。接着剤層３７は、逃がし弁１０における三角形の隆起部１４の代わりに、逃がし弁１０ａと包装帯材３の内面２との結合のために用いられている。包装帯材３は、例えばコーヒーの包装のために用いられる包装容器（図５には、図示せず）の構成部分である。縁部領域１３内側で包装帯材３に複数の開口部４を設けてある。開口部４は、一般的に公知であるように例えば適当な突き刺し器具を用いて、包装帯材３への逃がし弁１０ａの装着に際して若しくは装着の後に生ぜしめられ、この場合に開口部４の数及び大きさは、使用例に応じて異なっていてよい。
【００１３】
逃がし弁１０，１０ａの機能について述べると、包装品内に生じるガスは該ガスの過圧に基づき、まず貫通孔１９，２０内に入り込む。ガスの過圧は凹部１５内でダイヤフラム２２の、凹部に向いた側に作用し、その結果、内圧の十分に高い場合にダイヤフラム２２は封止区域３１と封止区域３２との間で持ち上がり、凹部１５からダイヤフラムのない区域２７，２８へ延びる通路を形成し、該通路を介してガスは支持体１１，１１ａの中央領域の上面１８とダイヤフラム２２との間を通して導き出される。ダイヤフラムのない区域２７，２８から、ガスは包装品の包装帯材３の開口部４を経て周囲に達する。包装品内の過圧が消滅すると、通路は再び閉じ、その際にダイヤフラム２２と支持体１１，１１ａの中央領域の上面１８との間に施されているシール液は、周囲、即ち大気に対するシール作用を生ぜしめ、その結果、空気が包装品内部に達することはない。実験により明らかなことは、互いに部分的に重なる２つの円１６，１７によって規定して形成された凹部１５は特に低い、例えば２ミリバールの開放圧力を可能し、即ち、包装品内の極めて低い過圧で逃がし弁１０，１０ａを開き、ひいては包装品内の過圧を消滅させる。
【００１４】
包装容器５への逃がし弁１０，１０ａの適当な配置を、図６に示してある。図６に示してあって例えばコーヒーの包装のために用いられる直六面体状の包装容器５は、包装帯材の裁断片からそれ自体公知の適当な包装容器製造装置を用いて製造される。充填された包装容器５は、封止されたトップ閉鎖部６並びに、包装容器の下側の封止されたボトム閉鎖部７を有している。図示の実施例では逃がし弁１０は１つの側壁８の内面に取り付けられており、外側からは逃がし弁１０と包装材との超音波溶接による円形の輪郭９並びに側壁８の開口部３８が見えている。
【００１５】
図４に別の逃がし弁４０を示してある。該逃がし弁４０は、前述の逃がし弁１０，１０ａに対して、凹部４２を図案化されたアンカーマーク４３の形状で形成してあることによって異なっている。保護された図形商標であるアンカーマーク４３の形状は、外部から逃がし弁４０の製造者の識別を可能にするものである。逃がし弁４０の中央領域で凹部４２内に３つの貫通孔４４を設けてある。ダイヤフラムのない区域４５，４６は、３つの貫通孔４４を通る軸線４７に対して平行にダイヤフラム４８の外側にある。支持体５０の上面へのダイヤフラム４８の結合は、ストリップ状のダイヤフラム４８の側方の領域と凹部４２の外側の結合区域５１，５２との間で行われ、即ちダイヤフラム４８は、貫通孔４４とダイヤフラムのない区域４５，４６との間の領域では、支持体５０と結合されておらず、その結果、ガスはダイヤフラムのない区域４５，４６へ逃がされる。
【００１６】
前述の逃がし弁１０，１０ａ，４０は、本発明の枠を逸脱することなしに多様に変更可能であり、本発明の要旨は、逃がし弁１０，１０ａ，４０がもっぱら２つの構成部分からのみ成っており、即ち支持体１１，１１ａ，５０とダイヤフラム２２，４８とから成っており、両方の構成部分（支持体とダイヤフラム）が紛失防止のために互いに結合されており、前記支持体の貫通孔（逃がし孔）１９，２０，４４の領域に凹部１５，４２を設け、該凹部が前記ダイヤフラム２２，４８によって覆われていることにある。別の実施例として、ダイヤフラム２２，４８は、超音波溶接を用いる代わりに接着によって支持体１１，１１ａ，５０に結合されてよい。さらに凹部は、できるだけ小さい開放圧力を達成するために種々の形状で形成されていてよい。
【図面の簡単な説明】
【００１７】
【図１】逃がし弁の平面図
【図２】図１のＩＩ−ＩＩ線に沿った断面図
【図３】図１及び図２の逃がし弁に用いられるダイヤフラムの平面図
【図４】別の逃がし弁の平面図
【図５】さらに別の逃がし弁の断面図
【図６】逃がし弁を備えた包装容器の斜視図
【符号の説明】
【００１８】
３  包装帯材、  ４  開口部、  ５  包装容器、  ６  トップ閉鎖部、  ７ボトム閉鎖部、  ８  側壁、  ９  輪郭、  １０，１０ａ  逃がし弁、  １１  支持体、  １２  中央領域、  １３  縁部領域、  １４  隆起部、  １５  凹部、  １６，１７  円、  １８  表面、  １９，２０  貫通孔、  ２２  ダイヤフラム、  ２４，２５  縁、  ２６  中心点軸線、  ２７，２８  区域、  ３１，３２  封止区域、  ３７  接着層、  ４０  逃がし弁、  ４２  凹部、  ４３  アンカーマーク、  ４４  貫通孔、  ４５，４６  区域、  ４７  軸線、  ４８  ダイヤフラム、  ５０  支持体、  ５１，５２  結合区域
【図１】
2006507997.tif 000003
【図２】
2006507997.tif 000004
【図３】
2006507997.tif 000005
【図４】
2006507997.tif 000006
【図５】
2006507997.tif 000007
【図６】
2006507997.tif 000008
【国際調査報告】
2006507997.tif 000009
2006507997.tif 000010
2006507997.tif 000011
2006507997.tif 000012